【手続補正書】
【提出日】平成16年5月26日(2004.5.26)
【手続補正１】
【補正対象書類名】明細書
【補正対象項目名】特許請求の範囲
【補正方法】変更
【補正の内容】
【特許請求の範囲】
【請求項１】
遊戯者の操作に応じて景品載置部から景品を移動させる遊戯装置において、
開口部を有し、内部に景品を収容する景品収容部と、
前記景品収容部内を往復移動する栓状部材と、
前記栓状部材を移動させる駆動手段と、
前記駆動手段を制御する制御手段とを備え、
前記栓状部材によって前記景品収容部に収容される景品を前記開口部より排出し、前記景品載置部に落下させることを特徴とする遊戯装置。
【請求項２】
前記栓状部材の景品当接面は凸状を成していることを特徴とする請求項１に記載の遊戯装置。
【請求項３】
請求項１又は２に記載の遊戯装置であって、
前記景品収容部の開口部付近に配置され、開口部付近の景品を開口部の外側方向に移動するように規制する景品ガイド部を更に備えることを特徴とする遊戯装置。
【請求項４】
請求項１〜３の何れか一項に記載の遊戯装置であって、
前記景品収容部の開口部付近に配置され、前記景品収容部の開口付近に溜まった景品を送り出す回転体を更に備えることを特徴とする遊戯装置。
【請求項５】
請求項１〜４の何れか一項に記載の遊戯装置であって、
前記開口部から排出された景品を受け止め、所定方向に滑降させるために前記景品収容部の周面に沿って配設された螺旋状のスロープを更に備えることを特徴とする遊戯装置。
【請求項６】
請求項１〜４の何れか一項に記載の遊戯装置であって、
前記開口部から排出された景品を受け止め、当該景品の落下方向を案内するガイド板を更に備えることを特徴とする遊戯装置。
【請求項７】
請求項６に記載の遊戯装置であって、
前記ガイド板は前記景品収容部の外周面に沿って周方向に回転自在に設置されていることを特徴とする遊戯装置。
【請求項８】
請求項１〜７の何れか一項に記載の遊戯装置であって、
前記景品収容部の一端部には、前記開口部からの景品の排出を案内する切欠が形成されていることを特徴とする遊戯装置。
【請求項９】
請求項１〜８の何れか一項に記載の遊戯装置であって、
前記制御手段は、所定の時間間隔をおいて前記栓状部材を段階的に移動させるように前記駆動手段を制御することを特徴とする遊戯装置。
【請求項１０】
請求項１〜９の何れか一項に記載の遊戯装置であって、
前記景品載置部に積載された景品の状態を検知する検知手段を備え、
前記制御手段が、前記検知手段による検知結果に基づいて前記駆動手段を制御することを特徴とする遊戯装置。
【請求項１１】
請求項１０に記載の遊戯装置であって、
前記景品載置部を水平移動させる移動手段を更に備え、
前記検知手段は固定的に設置されて、前記移動手段により移動される前記景品載置部上に積載された景品の状態を定点で検知し、
前記景品収容部は前記景品載置部近傍に設置され、
前記制御手段は前記検知手段による検知結果に基づいて、更に、前記駆動手段の駆動タイミングを制御することを特徴とする遊戯装置。
【請求項１２】
内部に景品を収容する景品収容部と、
前記景品収容部内を移動し前記景品収容部に収容された景品を押し上げる上面が凸状の栓状部材と
を備えことを特徴とする景品補充装置。
【請求項１３】
内部に収容した景品を排出するための開口部を有する景品収容部と、
前記景品収容部内を移動し前記景品収容部に収容された景品を押し上げる栓状部材と、
前記景品収容部の開口部付近に配置され、開口部付近の景品を開口部の外側方向に移動するように規制する景品ガイド部と、
を備えることを特徴とする景品補充装置。
【請求項１４】
内部に収容した景品を排出するための開口部を有する景品収容部と、
前記景品収容部内を移動し前記景品収容部に収容された景品を押し上げる栓状部材と、
前記景品収容部の開口部付近に配置され、前記景品収容部の開口付近に溜まった景品を送り出す回転体と、
を備えることを特徴とする景品補充装置。
【手続補正２】
【補正対象書類名】明細書
【補正対象項目名】０００７
【補正方法】変更
【補正の内容】
【０００７】
【課題を解決するための手段】
上記課題を解決するために、第１の発明は、遊戯者の操作に応じて景品載置部（例えば、図１のターンテーブル１００２）から景品を移動させる遊戯装置であって、開口部を有し、内部に景品を収容する景品収容部（例えば、図３の景品収容シリンダ１０３２）と、前記景品収容部内を往復移動する栓状部材（例えば、図３のピストン１０３４）と、前記栓状部材を移動させる駆動手段（例えば、図３のピストン駆動部１０４０）と、前記駆動手段を制御する制御手段（例えば、図１の制御ユニット１０２０）とを備え、前記景品収容部に収容される景品を前記開口部より排出し、前記景品載置部に落下させる遊戯装置である。
【手続補正３】
【補正対象書類名】明細書
【補正対象項目名】０００９
【補正方法】変更
【補正の内容】
【０００９】
第１の発明によれば、景品収容部に収容した景品を栓状部材で強制的に押し上げ、景品収容部の開口部より排出し落下させることによって、景品載置部に景品を補充できる。
【手続補正４】
【補正対象書類名】明細書
【補正対象項目名】００１０
【補正方法】変更
【補正の内容】
【００１０】
更に、よりスムーズな景品の排出を実現するために、第２の発明として、第１の発明における前記栓状部材の景品当接面は凸状を成していることとしても良い。
また、第１３の発明として、内部に景品を収容する景品収容部（例えば、図３の景品収容シリンダ１０３２）と、前記景品収容部内を移動し前記景品収容部に収容された景品を押し上げる上面が凸状の栓状部材（例えば、図３のピストン１０３４）とを備える景品補充装置を構成しても良い。
【手続補正５】
【補正対象書類名】明細書
【補正対象項目名】００１１
【補正方法】変更
【補正の内容】
【００１１】
第２及び第１３の発明によれば、栓状部材の上面が凸状を成しているので、景品は一方向に固まらずに四方八方に向けて分散して落下するように押し出される。従って、景品同士が引っかかり合うような場合であっても景品を離れやすくして、よりスムーズに景品を排出して遊戯装置に補充することができる。
【手続補正６】
【補正対象書類名】明細書
【補正対象項目名】００１２
【補正方法】変更
【補正の内容】
【００１２】
また更に、よりスムーズな景品の排出を実現するために、第３の発明として、第１又は２の発明の遊戯装置であって、前記景品収容部の開口部付近に配置され、開口部付近の景品を開口部の外側方向に移動するように規制する景品ガイド部(例えば、図１の景品ガイド部１０３６)を更に備える遊戯装置を構成することとしてもよい。
また、第１４の発明として、内部に収容した景品を排出するための開口部を有する景品収容部と、前記景品収容部内を移動し前記景品収容部に収容された景品を押し上げる栓状部材と、前記景品収容部の開口部付近に配置され、開口部付近の景品を開口部の外側方向に移動するように規制する景品ガイド部と、を備える景品補充装置を構成することとしても良い。
【手続補正７】
【補正対象書類名】明細書
【補正対象項目名】００１３
【補正方法】変更
【補正の内容】
【００１３】
第３の発明によれば、第１又は２の発明と同様の効果を奏するとともに、栓状部材によって押し上げられた景品は景品ガイド部に当る。そして、更に栓状部材が上昇すると景品ガイド部に当った景品は開口部外側向きに押されることとなる。従って、景品同士が引っかかり合うような場合であっても景品を離れやすくして、よりスムーズに景品を排出し遊戯装置に補充することができる。第１４の発明によっても、同様の効果が得られる。
【手続補正８】
【補正対象書類名】明細書
【補正対象項目名】００１４
【補正方法】変更
【補正の内容】
【００１４】
より景品を強制的に排出させるために、第４の発明として、第１〜３の何れか一の発明の遊戯装置であって、前記景品収容部の開口部付近に配置され、前記景品収容部の開口付近に溜まった景品を送り出す回転体（例えば、図７の羽根車１０３９ａ）を更に備えることとすると、より効果的である。
また、第１５の発明として、内部に収容した景品を排出するための開口部を有する景品収容部と、前記景品収容部内を移動し前記景品収容部に収容された景品を押し上げる栓状部材と、前記景品収容部の開口部付近に配置され、前記景品収容部の開口付近に溜まった景品を送り出す回転体と、を備える景品補充装置を構成することとしても良い。
【手続補正９】
【補正対象書類名】明細書
【補正対象項目名】００１５
【補正方法】変更
【補正の内容】
【００１５】
ここで言う回転体とは、景品と当接する腕やフィン、螺旋山などの凸部を供え回転駆動されるものである。例えばプロペラや水車、螺旋などであっても良い。
第４の発明によれば、第１〜３の何れか一の発明と同様の効果を奏するとともに、回転体で開口面付近の景品をかき回して景品同士が引っかかりあった状態を解き、景品が動き易くすることができる。そして、かき回しの方向に景品を送り出すことができる。従って、よりスムーズに景品を補充できる。
【手続補正１０】
【補正対象書類名】明細書
【補正対象項目名】００１６
【補正方法】変更
【補正の内容】
【００１６】
第５の発明は、第１〜４の何れか一の発明の遊戯装置であって、前記開口部から排出された景品を受け止め、所定方向に滑降させるために前記景品収容部の周面に沿って配設された螺旋状のスロープ（例えば、図１・図３の補充位置ガイド１０３８）を更に備える遊戯装置である。
また、第６の発明は、第１〜４の何れか一の発明の遊戯装置であって、前記開口部から排出された景品を受け止め、当該景品の落下方向を案内するガイド板（例えば、図７の補充位置ガイド１０３８）を更に備えるものである。
【手続補正１１】
【補正対象書類名】明細書
【補正対象項目名】００１７
【補正方法】変更
【補正の内容】
【００１７】
第５及び６の発明によれば、第１〜４の何れか一の発明と同様の効果を奏するとともに、開口部より排出され落下する景品を所定方向に導くことができる。従って、景品を補充する場所や補充する方向を定めることができる。例えば、景品を遊戯装置の他の部分に干渉しない位置に向けてスロープを設定するならば、景品が途中で引っかかり遊戯装置の動作を阻害するような状態を回避することが出来る。
【手続補正１２】
【補正対象書類名】明細書
【補正対象項目名】００１８
【補正方法】変更
【補正の内容】
【００１８】
より補充する場所や方向を能動的に制御するために、第７の発明として、第６の発明の遊戯装置であって、前記ガイド板は前記景品収容部の外周面に沿って周方向に回転自在に設置する遊戯装置を構成することとしても良い。
【手続補正１３】
【補正対象書類名】明細書
【補正対象項目名】００１９
【補正方法】変更
【補正の内容】
【００１９】
第７の発明によれば、第６の発明と同様の効果を奏するとともにガイド板の位置を変更できる。従って、景品を案内する方向を変更することができる。
【手続補正１４】
【補正対象書類名】明細書
【補正対象項目名】００２０
【補正方法】変更
【補正の内容】
【００２０】
また、第８の発明として、第１〜７の何れか一の発明の遊戯装置であって、前記景品収容部の一端部に、前記開口部からの景品の排出を案内する切欠（例えば、図１０の補充位置ガイド１０３８）を形成した遊戯装置を構成することとしても良い。この場合、第１〜７の何れか一の発明と同様の効果を奏するとともに、切欠を設けた方向に景品の排出を案内できる。
【手続補正１５】
【補正対象書類名】明細書
【補正対象項目名】００２１
【補正方法】変更
【補正の内容】
【００２１】
第９の発明は、第１〜８の何れか一の発明の遊戯装置であって、前記制御手段は、所定の時間間隔をおいて前記栓状部材を段階的に移動させるものである。
【手続補正１６】
【補正対象書類名】明細書
【補正対象項目名】００２２
【補正方法】変更
【補正の内容】
【００２２】
第９の発明によれば、第１〜８の何れか一の発明と同様の効果を奏するとともに、景品を所定の時間間隔をおいて段階的に前記景品補充装置の栓状部材の移動を制御し、景品補充装置が補充可能な全量を複数回に分けて自動的に補充することができる。従って、管理者が景品の残量を見まわり、必要に応じて補充作業をする手間を省くことができる。尚、ここで言う「所定の時間間隔」は等間隔に限らない。
【手続補正１７】
【補正対象書類名】明細書
【補正対象項目名】００２３
【補正方法】変更
【補正の内容】
【００２３】
第１０の発明は、第１〜９の何れか一の発明の遊戯装置であって、遊戯空間を覆うとともに、前記景品収容部の上方部分に開口部（例えば、図１の開口蓋１０１７ａ）を有する透明なドーム状カバー（例えば、図１のカバー１０１７）を更に備える遊戯装置である。
【手続補正１８】
【補正対象書類名】明細書
【補正対象項目名】００２４
【補正方法】変更
【補正の内容】
【００２４】
第１０の発明によれば、第１〜９の何れか一の発明と同様の効果を奏するとともに、景品収容部の上方部分に当るカバーの部分に開口部が形成されているので、ドーム状カバー全体を移動させることなく簡単に景品収容部に補充用の景品を補充することができる。
【手続補正１９】
【補正対象書類名】明細書
【補正対象項目名】００２５
【補正方法】変更
【補正の内容】
【００２５】
第１１の発明は、第１〜１０の何れか一の発明の遊戯装置であって、前記景品載置部に積載された景品の状態を検知する検知手段（例えば、図３の景品残量検知センサ１０５０）を備え、前記制御手段が、前記検知手段による検知結果に基づいて前記栓状部材の移動を制御する（例えば、図９の補充位置制御部２４）遊戯装置である。
【手続補正２０】
【補正対象書類名】明細書
【補正対象項目名】００２６
【補正方法】変更
【補正の内容】
【００２６】
第１１の発明によれば、第１〜１０の何れか一の発明と同様の効果を奏するとともに、景品載置部上の景品の状態を検知し、検知結果に応じて栓状部材の移動を制御することによって、景品を補充するタイミングと量をコントロールできる。
【手続補正２１】
【補正対象書類名】明細書
【補正対象項目名】００２７
【補正方法】変更
【補正の内容】
【００２７】
より効率的に検知を実施するために、第１２の発明として、第１１の発明の遊戯装置であって、前記景品載置部を水平移動させる移動手段（例えば、図２のモータ１００２ａ）を更に備え、前記検知手段は固定的に設置されて、前記移動手段により移動される前記景品載置部上に積載された景品の状態を定点で検知し、前記景品収容部は前記景品載置部近傍に設置され、前記制御手段は前記検知手段による検知結果に基づいて、更に、前記駆動手段の駆動タイミングを制御する遊戯装置を構成することとしても良い。
【手続補正２２】
【補正対象書類名】明細書
【補正対象項目名】００２８
【補正方法】変更
【補正の内容】
【００２８】
第１２の発明によれば、第１１の発明と同様の効果を奏するとともに、定点から景品の残量を検知することによって景品載置部上の何れの位置で景品が少なくなっているかを検知することができる。そして、景品収容部が景品載置部の近傍に設置されているので、景品載置部上の景品が少なくなっている場所が景品収容部で補充可能な位置に移動されるタイミングで、栓状部材の移動制御することによって、景品載置部上の特定部分を狙って景品を補充することができる。